(57)【要約】      （修正有）【課題】ウェアラブル機器を取り外した状態でも外観性を損なうことのない、頭部支持部材を提供する。【解決手段】頭部に装着可能な頭部支持部材１は、装着者の頭部の側頭部で支持される側頭部当接部３と、側頭部当接部３に取付けられて、機器を取り付け可能な機器取り付け部４と、を有し、機器取り付け部４は、機器が取付けられていないときに、側頭部当接部３に沿って配置される第１の位置と、機器を取り付け可能な状態となる第２の位置と、に切り換え可能である。【選択図】図１
2014157192.tif 000002
【特許請求の範囲】
【請求項１】
頭部に装着可能な頭部支持部材であって、
装着者の頭部の側頭部で支持される側頭部当接部と、
前記側頭部当接部に取付けられて、機器を取り付け可能な機器取り付け部と、を有し、
前記機器取り付け部は、機器が取付けられていないときに、前記側頭部当接部に沿って配置される第１の位置と、機器を取り付け可能な状態となる第２の位置と、に切り換え可能であることを特徴とする、頭部支持部材。
【請求項２】
前記機器取り付け部は、回動またはスライドすることにより、前記第１の位置と前記第２の位置とに相互に切り替え可能であることを特徴とする、請求項１に記載の頭部支持部材。
【請求項３】
前記側頭部当接部は、前記機器取り付け部を収納するカバーを備え、
前記機器取り付け部は、前記第１の位置に位置するとき、少なくとも一部が前記カバーに収納されることを特徴とする、請求項１又は２に記載の頭部支持部材。
【請求項４】
前記第２の位置は、前記第１の位置より装着者の後方側であることを特徴とする、請求項１〜３のいずれか一項に記載の頭部支持部材。
【請求項５】
前記第２の位置は、前記第１の位置より装着者の上方側であることを特徴とする、請求項１〜４のいずれか一項に記載の頭部支持部材。
【請求項６】
前記第２の位置は、前記第１の位置に対して傾斜していることを特徴とする、請求項４〜５のいずれか一項に記載の頭部支持部材。
【請求項７】
前記機器取り付け部は、前記第１の位置と前記第２の位置との切り換えを行う回動部またはスライド部を有し、
前記回動部または前記スライド部は、装着者の耳の上方側に配置されることを特徴とする、請求項１〜６のいずれか一項に記載の頭部支持部材。
【請求項８】
前記側頭部当接部は、眼鏡のテンプル部である、請求項１〜７のいずれか一項に記載の頭部支持部材。
【発明の詳細な説明】
【技術分野】
【０００１】
本発明は、ウェアラブル機器を頭部で支持するための頭部支持部材に関するものである。
【背景技術】
【０００２】
従来、ヘッド・マウント・ディスプレイ（ＨＭＤ）やカメラ等のウェアラブル機器を頭部に取り付けるための頭部支持部材として、眼鏡フレームにアタッチメントを固定し、そこにウェアラブル機器を取り付けるものが提案されている（例えば、特許文献１参照）。
【先行技術文献】
【特許文献】
【０００３】
【特許文献１】特開２０１０−０９１７４８号公報
【発明の概要】
【発明が解決しようとする課題】
【０００４】
しかしながら、特許文献１に記載の手法では、ウェアラブル機器を取り外した状態でアタッチメント部分が露出し、外観上好ましくないという問題がある。さらに、アタッチメント部分が眼鏡の前方側に配置されているため、重量のバランスが悪く、機器を取り付けた際に眼鏡が傾いたり、装着した際の不快感を伴ったりするという問題もあった。
そして、こうした問題は、眼鏡に限らず、例えばヘッドバンド型の頭部支持部材などにも共通した問題であった。
【０００５】
本発明は、このような問題を解決しようとするものであり、ウェアラブル機器を取り外した状態でも外観性を損なうことのない、頭部支持部材を提供することを目的とする。
【課題を解決するための手段】
【０００６】
本発明の要旨構成は、以下の通りである。
本発明の頭部支持部材は、頭部に装着可能な頭部支持部材であり、装着者の頭部の側頭部で支持される側頭部当接部と、前記側頭部当接部に取付けられて、機器を取り付け可能な機器取り付け部と、を有し、前記機器取り付け部は、機器が取付けられていないときに、前記側頭部当接部に沿って配置される第１の位置と、機器を取り付け可能な状態となる第２の位置と、に切り換え可能であることを特徴とするものである。
この構成によれば、機器を使用しない場合には、機器取り付け部の位置を第２の位置から第１の位置へと切り換えることにより、頭部支持部材の外観性を損なわないようにすることができる。
【０００７】
また、本発明の頭部支持部材では、前記機器取り付け部は、回動またはスライドすることにより、前記第１の位置と前記第２の位置とに相互に切り替え可能であることが好ましい。
この構成によれば、第１の位置と第２の位置とを容易に切り換えることが可能となる。
【０００８】
さらに、本発明の頭部支持部材では、前記側頭部当接部は、前記機器取り付け部を収納するカバーを備え、前記機器取り付け部は、前記第１の位置に位置するとき、少なくとも一部が前記カバーに収納されることが好ましい。
この構成によれば、機器を使用しない場合には、機器取り付け部がカバーに収納されて外部側方からは視認されづらいようにすることができ、またカバーのデザインにより外観性を向上させることができる。
【０００９】
ここで、本発明の頭部支持部材では、前記第２の位置は、前記第１の位置より装着者の後方側であることが好ましい。
この構成によれば、装着者の耳に重心がかかるようにして、頭部支持部材に取り付ける機器の重量をバランスよく支持することができる。
【００１０】
また、本発明の頭部支持部材にあっては、前記第２の位置は、前記第１の位置より装着者の上方側であることが好ましい。
この構成によれば、頭部支持部材に取り付ける機器の使用時に、機器が耳に干渉しないようにして、装着感を向上させることができる。
【００１１】
加えて、本発明の頭部支持部材では、前記第２の位置は、前記第１の位置に対して傾斜していることが好ましい。
この構成によれば、装着者の耳に重心がかかるようにして、頭部支持部材に取り付ける機器の重量をバランスよく支持しつつも、機器が耳に干渉しないようにして、装着感を向上させることができる。
【００１２】
また、本発明の頭部支持部材においては、前記機器取り付け部は、前記第１の位置と前記第２の位置との切り換えを行う回動部またはスライド部を有し、前記回動部または前記スライド部は、装着者の耳の上方側に配置されることが好ましい。
この構成によれば、頭部支持部材に取り付ける機器の使用時に、機器が耳に干渉しないようにして、装着感を向上させることができる。
【００１３】
さらに、本発明の頭部支持部材では、前記側頭部当接部は、眼鏡のテンプル部であることが好ましい。
頭部支持部材が眼鏡である場合に、側頭部当接部をテンプル部とすることにより、本発明の効果を得ることができる。
【発明の効果】
【００１４】
本発明によれば、ウェアラブル機器を取り外した状態でも外観性を損なうことのない、頭部支持部材を提供することができる。
【図面の簡単な説明】
【００１５】
【図１】（ａ）（ｂ）本発明の一実施形態にかかる頭部支持部材の側面図である。
【図２】（ａ）〜（ｄ）機器取り付け部について説明するための図である。
【図３】機器を取り付けた状態の頭部支持部材を示す上面図である。
【図４】（ａ）（ｂ）本発明の他の実施形態にかかる頭部支持部材の側面図である。
【図５】（ａ）（ｂ）本発明の別の実施形態にかかる頭部支持部材の斜視図である。（ｃ）機器を取り付けた状態の、本発明の別の実施形態にかかる頭部支持部材を示す斜視図である。
【発明を実施するための形態】
【００１６】
以下、図面を参照して、本発明の実施形態にかかる頭部支持部材について詳細に説明する。なお、本明細書において、前、後、左、右、上、下とは、頭部支持部材を装着者の頭部に装着した状態で、該装着者からみた前、後、左、右、上、下の各方向をいうものとする。
【００１７】
＜第１の実施形態＞
図１（ａ）（ｂ）は、本発明の一実施形態にかかる頭部支持部材の側面図であり、図示のように、本実施形態の頭部支持部材１は、機器取り付け部４を有し、頭部に装着可能な眼鏡である。
図１（ａ）は、ウェアラブル機器を取り付け可能な状態である頭部支持部材１を示している。
図１（ａ）に示すように、本実施形態の頭部支持部材（眼鏡）１は、フロント部２とテンプル部３とを有しており、テンプル部３は、装着者の頭部の側頭部で支持される側頭部当接部としての役割を果たすものである。
そして、テンプル部３には、機器取り付け部４が取り付けられている。図示例では、機器取り付け部４は、回動部５を有し、この回動部５により機器取り付け部４が回動可能となっている。なお、図示例では、回動部５は、装着者の耳の上方側となるテンプル部３に沿った位置に設けられている。
また、図示例では、テンプル部３は、その側方に該テンプル部３に沿った形状のカバー６を有している。
【００１８】
図１（ａ）に示すように、機器を取り付ける際には、機器取り付け部４は、機器を取り付け可能な第２の位置に位置する。図示例では、機器取り付け部４は、回動の中心位置から見て装着者の後方側かつ上方側に傾斜して位置している。
【００１９】
図１（ｂ）は、ウェアラブル機器を取り付けない、非取り付け状態にある頭部支持部材１を示している。
図１（ｂ）に示すように、この状態において機器取り付け部４は、テンプル部３に沿って配置される第１の位置に位置しており、図示例では、機器取り付け部４は、その大部分がカバー６に収納され、この状態で外部側方からは視認しづらいようになっている。図示例では、機器取り付け部４は、回動の中心位置から見て装着者の前方側に回動させた位置でテンプル部３に沿って配置している。
【００２０】
図２（ａ）（ｂ）は、それぞれ、図１（ａ）（ｂ）の実施形態の頭部支持部材１の機器取り付け部４の側面図および上面図である。
図２（ａ）（ｂ）に示す例では、機器取り付け部４は、薄い（例えば、厚さ０．８ｍｍの）金属からなり、一部にくびれ４ａのある細長い形状となっている。
そして、くびれ４ａの一端側には、側面視で略三角形状の回動つまみ４ｅが形成されており、その回転つまみ４ｅの中心に回動部５に係合する孔４ｂが設けられている。
また、くびれ４ａの他端側に本体部４ｃが形成されており、その本体部４ｃの終端に止め部４ｄが形成されている。ここで、本体部４ｃは、軽量化のため、図示のように中央部が切り欠かれている。
機器取り付け部４が第２の位置に位置する状態で、図２（ｃ）に示すように、例えば、凹部を有する取り付け部７ａを備えた機器７を、機器取り付け部４のくびれ４ａから（機器７を図２（ｃ）の矢印の方向へ移動させるようにして）嵌め込み、後方側（図２（ｃ）の矢印の側）にスライドさせることにより、機器取り付け部４の本体部４ｃに支持することができる。
さらに、図２（ｄ）に示すように、機器７の取り付け部７ａは、機器取り付け部４の本体部４ｃに支持された状態で、機器取り付け部４の長手方向にスライド可能であり、これにより、機器７の前後の取り付け位置を調整することができる。例えば、機器７がヘッド・マウント・ディスプレイ（ＨＭＤ）である場合には、これによって装着者の眼と機器７の接眼レンズとの距離を調整することができ、より見やすい表示が可能となる。
なお、機器７の取り付け部７ａは、機器取り付け部４の止め部４ｄにより、機器取り付け部４の本体部４ｃからは外れないようになっている。
さらに、機器７を機器取り付け部４から取り外すときは、図２（ｃ）における矢印の反対方向に機器７を移動（スライド）させて、くびれ４ａから取り外せばよい。
【００２１】
さらに、図２（ａ）に示すように、機器取り付け部４の回動つまみ４ｅは、図１（ｂ）に示すように、機器取り付け部４が第１の位置にあり、カバー６に収納されている際にも、テンプル部３の上下方向にはみ出さない程度に、テンプル部３に沿った方向にはみ出しており、この部分は、装着者が指で操作可能となっている。
また、図２（ａ）に示すように、機器取り付け部４には、過回転防止用の爪４ｆが設けられている。この爪は、装着者から見て側方外側に突出しており、図１（ａ）の状態から、機器取り付け部４が装着者の後方にさらに回転した際に、爪４ｆがカバー６の底面に当たってそれ以上回転できないようになる。
なお、機器７は、機器取り付け部４の本体部４ｃに支持された状態でスライド可能であるが、装着者が指で操作しない場合には、摩擦等によりその位置で止まるように構成されている。
【００２２】
機器取り付け部４と機器７とを取り付ける方法は、上記の場合に限定されず、例えば、磁石による取り付けや、一般的な係合手段による取り付けなどが可能である。
【００２３】
以上説明したように、本実施形態の頭部支持部材１は、機器取り付け部４の位置に関し、図１（ｂ）に示すように、機器が取付けられていないときに、側頭部当接部（図示例ではテンプル部３）に沿って配置される第１の位置と、図１（ａ）に示すように、機器を取り付け可能な状態となる第２の位置と、に切り換え可能である。
以下、本実施形態の作用効果について説明する。
【００２４】
本実施形態によれば、まず、機器を使用しない場合には、機器取り付け部４の位置を第２の位置から第１の位置へと切り換えることにより、機器取り付け部４をテンプル部３に沿った配置とし、機器取り付け部４がテンプル部３の上下にはみ出さないようにして目立たないようにすることができ、これにより、頭部支持部材１の外観性を損なわないようにすることができる。
特に、本実施形態においては、第１の位置において、機器取り付け部４の大部分（図示例では、回動つまみ４ｅを除く部分）がカバー６に収納されるため、機器取り付け部４が露出しないようにすることができ、さらには、カバー６のデザインによって外観性を向上させることができる。
また、機器を使用する際には、回動部５により、機器取り付け部４の位置を第１の位置から、機器を取り付け可能な第２の位置へと遷移させて、機器を取り付け可能な状態にすることができる。
【００２５】
特に、本実施形態では、回動部５は、装着者が回動つまみ４ｄ又は機器取り付け部４自体を指で押すだけで機器取り付け部４を回動させることができる構成であるため、容易に第１の位置と第２の位置とを相互に切り替えることができる。
また、回動部５により、機器７の取り付け角度を調整することができ、例えば、機器７がヘッド・マウント・ディスプレイ（ＨＭＤ）である場合には、これによって装着者の眼の位置に機器７の接眼レンズの位置を調整したり、見たい表示角度に表示画面の位置を調整したりすることが可能となる。
【００２６】
図３は、図１（ａ）の状態において、機器取り付け部４に機器７を取り付けた様子を示す、頭部支持部材１の上面図である。図３においては、機器取り付け部４は、装着者の左右両方のテンプル部３に取り付けられており、図示例では、左側の機器取り付け部４は、第１の位置でカバー６に収納されており、右側の機器取り付け部４は、第２の位置にあり、機器７が取り付けられている。
このように左右両側のテンプル部３が機器取り付け部４を有する構成とすれば、装着者の左右どちら側にも機器７を取り付けることができ、また、左右対称な構成となるため、外観性をより一層確保することができる。
ここで、本実施形態では、回動部５は、装着者の耳の上方側に（テンプル部３に沿って）配置されており、機器取り付け部４は、第１の位置における機器取り付け部４（の本体部４ｃ）に対して、第２の位置における機器取り付け部４（の本体部４ｃ）が、装着者の後方側かつ上方側に傾斜するように位置している。これにより、装着者の耳に重心がかかるようにして、頭部支持部材１に取り付ける機器７の重量をバランスよく支持しつつも、機器７が耳に干渉しないようにして、装着感を向上させることができる。
すなわち、図３に示すように、機器取り付け部４を装着者の後方側に配置することにより、頭部支持部材（眼鏡）１の前方にかかる重量を低減することができ、眼鏡が傾くのを抑制し、また、鼻にかかる重量を抑えることで、装着感を向上させることができる。すなわち、耳付近で機器を支持するようにしていることで重量のバランスが取りやすくなっている。
さらに、機器取り付け部４を装着者の上方側に配置することで、機器を取り付けた際の耳への干渉を避けることができる。特に、本実施形態のように、機器取り付け部４をテンプル部３より上方側に配置することで、機器を取り付けた際の耳への干渉を確実に避けることができる。また特に、回動部５を装着者の耳の上方側に配置することで、機器取り付け部４を、第２の位置において装着者の上方側に位置するようにすることができる。
【００２７】
＜第２の実施形態＞
図４（ａ）（ｂ）は、本発明の他の実施形態にかかる頭部支持部材１の側面図であり、図示のように、本実施形態の頭部支持部材１は、機器取り付け部４を有し、頭部に装着可能な眼鏡である。
【００２８】
図４（ａ）は、機器を取り付けない、非取り付け状態にある頭部支持部材１を示しており、図４（ｂ）は、機器を取り付け可能な状態にある頭部支持部材１を示している。
図４（ａ）（ｂ）に示すように、この実施形態においても、テンプル部３に機器取り付け部４が取り付けられている。
そして、図４（ａ）に示すように、頭部支持部材（眼鏡）１のテンプル部３の側面には機器取り付け部４を収納するためのカバー６が設けられており、非取り付け状態において、機器取り付け部４の位置は、テンプル部３に沿った第１の位置に配置され、機器取り付け部４の大部分がカバー６に収納されて外部側方からは目立たないようになっている。
また、図４（ｂ）に示すように、機器を取り付ける場合には、機器取り付け部４を、第１の位置から装着者の後方側にスライドした位置である第２の位置に切り換えて位置させることにより、機器の取り付けが可能な状態となる。
【００２９】
図４（ａ）（ｂ）に示すように、この実施形態では、頭部支持部材１は、スライド部８を有し、このスライド部８によって、第１の位置と第２の位置とを相互に切り替え可能となっている。
図示例では、スライド部８は、テンプル部３に沿ってカバー６に形成されたガイド溝６ａと、ガイド溝６ａからカバー６の外側に突出するように機器取り付け部４に設けられたスライドつまみ８ａとを有する。そして、スライドつまみ８ａを後方にスライドさせることで、第１の位置から第２の位置へと切り換えることができ、一方で、スライドつまみ８ａを前方にスライドさせることで、第２の位置から第１の位置へと切り換えることができる。
【００３０】
第２の実施形態についても、第１の実施形態と同様に、機器を使用しない場合には、機器取り付け部４の位置を第２の位置から第１の位置へと遷移させることにより、機器取り付け部４をテンプル部３に沿った配置とし、機器取り付け部４がテンプル部３の上下にはみ出さないようにして目立たないようにすることができ、これにより、頭部支持部材１の外観性を損なわないようにすることができる。特に、機器取り付け部４の少なくとも一部を、第１の位置において、外部に露出しないようにカバー６に収納されるようにすることが好ましい。この場合、カバー６のデザインによって外観性を向上させることもできる。
さらに、機器を使用する際には、スライド部８により、機器取り付け部４の位置を第１の位置から、機器を取り付け可能な第２の位置へと遷移させて、機器を取り付け可能な状態にすることができる。
また、スライド部８を装着者の耳の上方側に位置させることにより、機器が耳に干渉するのを極力避けることができる。
【００３１】
＜第３の実施形態＞
図５（ａ）（ｂ）は、本発明の別の実施形態にかかる頭部支持部材１を示す斜視図であり、図５（ｃ）は、図５（ｂ）の状態にある頭部支持部材１に機器７を取り付けた様子を示す斜視図である。
【００３２】
図５（ａ）〜（ｃ）に示すように、この実施形態では、頭部支持部材１は、頭部に装着可能なヘッドバンド型の頭部支持部材１である。
図５（ａ）（ｂ）に示すように、このヘッドバンド型の頭部支持部材１は、装着者の頭部の右側の側頭部で支持される側頭部当接部９と、側頭部当接部９に取付けられて、機器を取り付け可能な機器取り付け部４と、を有している。
図５（ａ）に示すように、機器を取り付けない、非取り付け状態において、機器取り付け部４は、頭部支持部材１の側頭部当接部９に沿って配置される第１の位置に位置している。図示例では、頭部支持部材１は、側頭部当接部９の外部側方に、該側頭部当接部９に沿って配置されたカバー６を有しており、機器取り付け部４は、第１の位置に位置するとき、少なくとも一部（図示例では、回動つまみ４ｅを除く部分）がカバー６に収納されて外部側方からは視認しづらいようになっている。
なお、図５（ａ）に示す状態では、例えば、通常の髪留め等として利用することができる。
【００３３】
また、機器取り付け部４は、回動部５を有しており、機器を使用する際には、回動部５により機器取り付け部４を回動させ、機器を取り付け可能な第２の位置に位置させることができる。第２の位置としては、機器を取り付け可能な位置であれば特に限定されないが、例えば、図５（ｂ）に示すように、装着者の後方側で、側頭部当接部９の延在方向に略垂直な方向に延在するような位置とすることができる。
【００３４】
第３の実施形態にかかる頭部支持部材１によれば、第１の実施形態および第２の実施形態の場合と同様に、機器を使用しない場合には、機器取り付け部４の位置を第２の位置から第１の位置へと切り換えることにより、機器取り付け部４を側頭部当接部９に沿った配置とし、機器取り付け部４が側頭部当接部９の前後にはみ出さないようにして目立たないようにすることができ、これにより、頭部支持部材１の外観性を損なわないようにすることができる。特に、機器取り付け部４の少なくとも一部は、第１の位置において、外部側方から視認されないようにカバー６に収納されるようにすることが好ましい。この場合、カバー６のデザインにより外観性を向上させることもできる。
【００３５】
さらに、機器を使用する際には、回動部５により、機器取り付け部４の位置を第１の位置から、機器を取り付け可能な第２の位置へと切り換えて、機器を取り付け可能な状態にすることができる。
なお、機器取り付け部４は、図１（ａ）（ｂ）に示した実施形態と同様に、図２（ａ）〜（ｄ）に示すのと同様の機器取り付け部４を用いることにより、装着者が回動つまみ４ｅまたは機器取り付け部４自体を指で押すことにより、本実施形態においても第１の位置と第２の位置とを相互に容易に切り換えることができる。
【００３６】
また、本実施形態では、図５（ｂ）に示すように、第２の位置を装着者の後方側とすることにより、耳付近で機器を支持するようにすることで重量のバランスを取りやすくすることができる。
さらに、回動部５を装着者の耳の上方側に配置することで、機器７が耳に干渉するのを極力避けることができる。
【００３７】
図５（ｃ）は、図５（ｂ）に示す第２の状態の機器取り付け部４に機器７（図示例では、ヘッド・マウント・ディスプレイ（ＨＭＤ））を取り付けた状態を示している。
本実施形態では、回動部５は、機器取り付け部４に機器７を取り付けた状態において、機器取り付け部４と一体に機器７を回動させることもでき、これにより機器７の位置調整を行うこともできる。
【００３８】
以上、本発明の実施形態について説明したが、本発明は、上記の実施形態に限定されるものではなく、発明の趣旨を逸脱しない範囲で種々変更可能である。
例えば、図１（ａ）に示す例では、機器取り付け部４は、回動の中心位置から見て装着者の後方側に回動させた位置としているが、第２の位置は、回動の中心位置から見て装着者の前方側に回動させた位置としてもよい。
また、例えば、図１（ｂ）に示す例では、機器取り付け部４は、回動の中心位置から見て装着者の前方側に回動させた位置としているが、第１の位置は、テンプル部３に沿っていれば良く、回動の中心位置から見て装着者の後方側に回動させた位置としてもよい。
【産業上の利用可能性】
【００３９】
本発明によれば、電子機器を取り外した状態でも外観性を損なうことのない、頭部支持部材を提供することができる。
本発明の頭部支持部材は、例えば、ヘッド・マウント・ディスプレイ（ＨＭＤ）やカメラ等のウェアラブル機器を取り付ける用途に供することができる。
【符号の説明】
【００４０】
１  頭部支持部材
２  フロント部
３  テンプル部
４  機器取り付け部
５  回動部
６  カバー
６ａ  ガイド溝
７  機器
８  スライド部
８ａ  スライドつまみ
９  側頭部当接部
【図１】
2014157192.tif 000003
【図２】
2014157192.tif 000004
【図３】
2014157192.tif 000005
【図４】
2014157192.tif 000006
【図５】
2014157192.tif 000007